(57)【要約】【課題】  食器を一部露出した状態で個別に包装する。【解決手段】底面板に重ねられた左底面板および右底面板上に配置された食器Ｐの側面および正面を左側面板、右側面板３Ｒおよび正面板６によって覆うとともに、その背面側を係止片５’によって係止し、また、食器Ｐの上面を左上面板４Ｌ、右上面板４Ｒおよび正面上面板７によって一部露出した状態で覆うことにより、包装容器１を緩衝材として機能させることができるとともに、食器Ｐを一目で把握することができる。【選択図】  図１
2006213338.tif 000002
【特許請求の範囲】
【請求項１】
底面板に左側面板および右側面板がそれぞれ垂直に立ち上げられ、左側面板および右側面板の各上端縁に左上面板および右上面板がそれぞれ内方に向けて水平に延設され、左上面板および右上面板の各内端縁にそれぞれ係止片を介して左底面板および右底面板が延設されて底面板に重ねられる一方、底面板に正面板が垂直に立ち上げられ、正面板の上端縁に正面上面板が内方に向けて水平に延設されてなり、底面板に重ねられた左底面板および右底面板上に配置された食器の左右の側面および正面が左側面板、右側面板および正面板によって覆われるとともに、背面が露出された状態で係止片によって係止され、また、上面が左上面板、右上面板および正面上面板によって一部露出された状態で覆われることを特徴とする包装容器。
【発明の詳細な説明】
【技術分野】
【０００１】
この発明は、食器を包装する包装容器に関するものである。
【背景技術】
【０００２】
一般に、陶器製食器は、コンテナなどの輸送容器に１枚ずつ緩衝材を介して積み重ねて消費地に向けて輸送され、また、店舗において、全体が露出された状態で同一の種類毎棚などに積み重ねられて展示されている。
【発明の開示】
【発明が解決しようとする課題】
【０００３】
ところで、前述した食器は、購入される都度、１個ずつ緩衝材などで覆いながら梱包する必要があり、煩雑となっていた。また、食器は、通常、円形に形成されている関係上、積み重ねて展示する以外展示することができず、消費者が、一見で的確に把握することが難しいという欠点があった。
【０００４】
本発明は、このような問題点に鑑みてなされたもので、食器を一部開放した状態で個別に包装することができる包装容器を提供するものである。
【課題を解決するための手段】
【０００５】
本発明は、底面板に左側面板および右側面板がそれぞれ垂直に立ち上げられ、左側面板および右側面板の各上端縁に左上面板および右上面板がそれぞれ内方に向けて水平に延設され、左上面板および右上面板の各内端縁にそれぞれ係止片を介して左底面板および右底面板が延設されて底面板に重ねられる一方、底面板に正面板が垂直に立ち上げられ、正面板の上端縁に正面上面板が内方に向けて水平に延設されてなり、底面板に重ねられた左底面板および右底面板上に配置された食器の左右の側面および正面が左側面板、右側面板および正面板によって覆われるとともに、背面が露出された状態で係止片によって係止され、また、上面が左上面板、右上面板および正面上面板によって一部露出された状態で覆われることを特徴とするものである。
【０００６】
本発明によれば、底面板に重ねられた左底面板および右底面板上に配置された食器は、左右の側面および正面が左側面板、右側面板および正面板によって覆われる一方、背面が露出された状態で係止片によって係止されている。また、食器の上面が左上面板、右上面板および正面上面板によって一部露出された状態で覆われている。
【０００７】
したがって、予め食器を包装容器にて包装することにより、包装容器が緩衝材として機能し、輸送などに際して取り扱いが容易となる。その際、食器の背面および上面の一部が露出されるため、内容を確認する手間が不要となるばかりでなく、展示容器としても利用することができる。例えば、正面板を下面として立て掛けて展示することができ、その場合は、正面に食器の露出部分が対向することから、食器を一目で把握することができる。また、そのままレジ袋に袋詰めすることができるため、新たに梱包する手間を省くことができる。
【０００８】
ここで、食器がペット用食器であって、切欠部を形成した環状支持脚を有する場合、環状支持脚の切欠部を背面側に位置して包装容器にて包装することにより、包装容器の背面から食器における環状支持脚の切欠部を通して裏面に手を挿入し、食器を挟み持つことができる。したがって、食器を包装容器にて包装した状態であるにもかかわらず、直接食器を把握して包装容器毎簡単に持ち運びすることができる。
【発明の効果】
【０００９】
本発明によれば、食器を一部露出した状態で個別に包装することができる。
【発明を実施するための最良の形態】
【００１０】
以下、本発明の実施の形態を図面に基づいて説明する。
【００１１】
図１および図２には、本発明の食器Ｐの包装容器１の一実施形態が示されている。
【００１２】
この包装容器１は、ダンボールなどの台紙を図３に示す展開図にしたがって打ち抜いた後、折り目に沿って折り込むことにより組み立てられる。
【００１３】
この包装容器１は、図３の展開図において、底面板２の左端縁に、左側面板３Ｌ、左上面板４Ｌおよび左底面板５Ｌが順に折り目ａ，ｂ，ｃを介して連設されるとともに、その右端縁に、右側面板３Ｒ、右上面板４Ｒおよび右底面板５Ｒが順に折り目ａ，ｂ，ｃを介して連設される一方、底面板２の下端縁に、正面板６および正面上面板７が順に折り目ｄ，ｅを介して連設され、また、左側面板３の下端縁と正面板９の左端縁との間および右側面板６の下端縁と正面板９の右端縁との間には、それぞれ折り目ｆ，ｇを介して接続片８Ｌ，８Ｒが連設され、各接続片８Ｌ，８Ｒには、底面板２、左側面板３Ｌおよび正面板６が交差することで形成される頂点および底面板２、右側面板３Ｒおよび正面板６が交差することで形成される頂点をそれぞれ始点とし、各接続片８Ｌ，８Ｒを二等分する折り目ｈが形成されている。
【００１４】
そして、底面板２の上端縁には、左側面板３Ｌとの折り目ａ近傍および右側面板３Ｒとの折り目ａ近傍に位置してそれぞれ台形状のフラップ９が折り目ｉを介して連設され、また、左上面板４Ｌの上端縁および右上面板４Ｒの上端縁にも、それぞれ折り目ｊを介してフラップ１０が連設されている。さらに、正面上面板７の左右端縁には、それぞれ差込フラップ１１が折り目ｋを介して連設されている。
【００１５】
さらにまた、左底面板５Ｌの上端縁には、左上面板４Ｌとの折り目ｃ近傍に位置して台形状の左背面板１２Ｌが折り目ｍを介して連設されており、この左背面板１２Ｌには、差込フラップ１３が折り目ｎを介して連設されている。同様に、右底面板５Ｒの上端縁には、右上面板４Ｒとの折り目ｃ近傍に位置して、台形状の右背面板１２Ｒが折り目ｍを介して連設されており、この右背面板１２Ｒには、差込フラップ１３が折り目ｎを介して連設されている。
【００１６】
一方、左上面板４Ｌと左底面板５Ｌとの折り目ｃは、上端部側に一定長さにわたって形成され、残りの部分は切れ目ｐに形成されている。そして、左底面板５Ｌには、折り目ｃの終端を始点とし、その左方向に延びる一定長さの切れ目ｑが形成されるとともに、該切れ目ｑの終端を始点として折り目ｒが折り目ｃと平行に上端縁との間に形成されている。
【００１７】
ここで、切れ目ｑの長さは、左側面板３Ｌの高さ（折り目ａ，ｂ間の間隔）よりも若干大きく設定されており、後述するように、左底面板５Ｌの切れ目ｐに沿う端縁を底面板２と左側面板３Ｌとの折り目ａに沿うように折り込んだ際、折り目ｍ、折り目ｃ、切れ目ｑおよび折り目ｒによって区画された部分は、底面板２に重ねられた左底面板５Ｌと左上面板４Ｌとの間に傾斜状態で立ち上がる係止片５’を形成するように設定されている。
【００１８】
同様に、右上面板４Ｒと右底面板５Ｒとの折り目ｃも、上端部側に一定長さにわたって形成され、残りの部分は切れ目ｐに形成されている。そして、右底面板５Ｒには、折り目ｃの終端を始点とし、その右方向に延びる一定長さの切れ目ｑが形成されるとともに、該切れ目ｑの終端を始点として折り目ｒが折り目ｃと平行に上端縁との間に形成されている。
【００１９】
ここで、切れ目ｑの長さは、右側面板３Ｒの高さ（折り目ａ，ｂ間の間隔）よりも若干大きく設定されており、後述するように、右底面板５Ｒの、切れ目ｐに沿う端縁を底面板２と右側面板３Ｒとの折り目ａに沿うように折り込んだ際、折り目ｍ、折り目ｃ、切れ目ｑおよび折り目ｒによって区画された部分は、底面板２に重ねられた右底面板５Ｒと右上面板４Ｒとの間に傾斜状態で立ち上がる係止片５’を形成するように設定されている。
【００２０】
なお、左側面板３Ｌと左上面板４Ｌとの折り目ｂおよび右側面板３Ｒと右上面板４Ｒとの折り目ｂには、その下端縁近傍に位置して、前述した差し込みフラップ１１を挿入可能な切れ目ｓがそれぞれ形成されている。
【００２１】
また、右底面板５Ｒには、その右端縁近傍に位置して方形状の切れ目ｔが形成される一方、左底面板５Ｌには、右底面板５Ｒの方形状の切れ目ｔに挿入可能な一対の連結片を形成するように、略Ｕ字状の切れ目ｕおよび該切れ目ｕの両端を接続する折り目ｖが形成されている。
【００２２】
ここで、底面板２は、包装する食器Ｐの直径に対応する長さを一辺とする正方形に形成され、左側面板３Ｌおよび右側面板３Ｒは、食器Ｐの高さに対応する幅に形成されている。
【００２３】
次に、このように構成された包装容器１の組み立て手順について説明する。
【００２４】
まず、図３の展開図にしたがって台紙を打ち抜くとともに、裏面が上面を向くように反転させた後、底面板２に対して左側面板３Ｌを折り目ａに沿って谷折りする一方、左側面板３Ｌに対して左上面板４Ｌを折り目ｂに沿って谷折りし、さらに、左上面板４Ｌに対して左底面板５Ｌを折り目ｃに沿って谷折りし、左底面板５Ｌを底面板２上に重ねる。
【００２５】
この際、左底面板５Ｌの切れ目ｐに沿う端縁を、底面板２と左側面板３Ｌとの折り目ａに沿うように、左底面板５Ｌを底面板２上に重ねることにより、左底面板５Ｌの先端と左上面板４Ｌの先端との間に、折り目ｍ、折り目ｃ、切れ目ｑおよび折り目ｒによって区画された部分が係止片５’として傾斜状態で立設される（図４参照）。
【００２６】
次いで、左上面板４Ｌに対してフラップ１０を折り目ｊに沿って谷折りするとともに、底面板２に対して左方のフラップ９を折り目ｉに沿って谷折りした後、左底面板５Ｌに連設されて立設した係止片５’に対して左背面板１２Ｌを折り目ｍに沿って谷折りするとともに、左背面板１２Ｌに対して差し込みフラップ１３を折り目ｎに沿って谷折りし、左側面板３Ｌの内面に沿って差し込む（図５参照）。
【００２７】
なお、左底面板５Ｌを底面板２上に重ねる際、予め切れ目ｕに沿った連結片を折り目ｖに沿って谷折りして立ち上げておく。
【００２８】
同様に、底面板２に対して右側面板３Ｒを折り目ａに沿って谷折りする一方、右側面板３Ｒに対して右上面板４Ｒを折り目ｂに沿って谷折りし、さらに、右上面板４Ｒに対して右底面板５Ｒを折り目ｃに沿って谷折りし、右底面板５Ｒを先に底面板２上に重ねられた左底面板５Ｌの上に重ねる。この際、方形状の切れ目ｔを切れ目ｕによって区画された一対の連結片に差し込むとともに、各連結片を折り目ｖに沿って折り込み、右底面板５Ｒを左底面板５Ｌに連結する。
【００２９】
また、右底面板５Ｒの切れ目ｐに沿う端縁を、底面板２と右側面板３Ｒとの折り目ａに沿うように、右底面板５Ｒを底面板２上に重ねることにより、右底面板５Ｒの先端と右上面板４Ｒの先端との間に、折り目ｍ、折り目ｃ、切れ目ｑおよび折り目ｒによって区画された部分が係止片５’として傾斜状態で立設される。さらに、右上面板４Ｒに対してフラップ１０を折り目ｊに沿って谷折りするとともに、底面板２に対して右方のフラップ９を折り目ｉに沿って谷折りした後、右底面板５Ｒに連設されて立設した係止片５’に対して右背面板１２Ｒを折り目ｍに沿って谷折りするとともに、右背面板１２Ｒに対して差し込みフラップ１３を折り目ｎに沿って谷折りし、右側面板３Ｒの内面に沿って差し込む。
【００３０】
この状態では、図６に示すように、底面板２の左右端縁からそれぞれ左側面板３Ｌおよび右側面板３Ｒが立ち上げられるとともに、左側面板３Ｌの上端縁および右側面板３Ｒの上端縁からそれぞれ内方に向けて左上面板４Ｌおよび右上面板４Ｒが水平に延設され、さらに、左上面板４Ｌの背面側端縁および右上面板４Ｒの背面側端縁から下方に向かって係止片５’が傾斜状態で立設されている。
【００３１】
次いで、容器Ｐを把握して正面板６および正面上面板７に沿って背面方向に差し込めば、容器Ｐは、係止片５’の先端に係止され、それ以上の進入が阻止されて、底面板２上に積み重ねられた左底面板５Ｌおよび右底面板５Ｒ上に配置される。この後、底面板２に対して正面板６を折り目ｄに沿って谷折りするとともに、正面板６に対して正面上面板７を折り目ｅに沿って谷折りした後、正面上面板７に対して各差し込みフラップ１１を折り目ｋに沿って谷折りし、それぞれ切れ目ｓに差し込む。この際、各接続片８Ｌ，８Ｒを折り目ｈに沿って山折りするとともに、左側面板３Ｌおよび正面板６との折り目ｆ，ｇに沿って、および、右側面板３Ｒおよび正面板６との折り目ｆ，ｇに沿ってそれぞれ谷折りすることにより、正面板６の内面側に折り込む。
【００３２】
この結果、食器Ｐは、底面が底面板２、左底面板５Ｌおよび右底面板５Ｒによって支持され、側面が左側面板３Ｌおよび右側面板３Ｒによって、正面が正面板６によってそれぞれ覆われ、また、上面の左右が左上面板４Ｌおよび右上面板４Ｒによって一部覆われるとともに、上面の正面側半部が正面上面板７によって覆われ、背面が係止片５’によって係止されることから、包装容器１からの脱落を確実に防止することができる。しかも、食器Ｐは、周囲がダンボールなどの台紙からなる包装容器１によって緩衝状態で包囲されていることから、輸送などに際して容易に取り扱うことができる。また、食器Ｐは、左上面板４Ｌ、右上面板４Ｒおよび正面上面板７の各内端縁によって区画される部分が露出されるとともに、背面が露出されることから、食器Ｐの内容を確認する手間を省くことができるとともに、そのまま展示容器として展示することもできる。例えば、正面板６を下面として立て掛けて展示することができ、その際は、食器Ｐの露出部分は、消費者の正面に対向することから、食器Ｐを一目で把握することができる。また、そのままレジ袋に袋詰めすることができるため、新たに梱包する手間を省くことができる。
【００３３】
ここで、食器Ｐは、ペット用食器であって、ほぼ皿状に形成されるとともに、外周縁近傍に環状支持脚ｐ１を有している。そして、環状支持脚ｐ１には、正面より見て弓形状の切欠部ｐａ（図２参照）が形成されており、この切欠部ｐａを通して裏面に指先を差し入れ、食器Ｐを挟み持つことができる。
【００３４】
したがって、食器Ｐを包装容器１にて包装する場合、その背面に切欠部ｐａが位置するように配置することにより、包装容器１の背面が開放されることと相俟って、開放された包装容器１の背面および食器Ｐにおける環状支持脚ｐ１の切欠部ｐａを通して食器Ｐの裏面に手を差し入れることができる。このため、食器Ｐが包装容器１によって包装されているにも関わらず、食器Ｐを直接把握して包装容器１ごと簡単に持ち運びすることができる利点がある。
【図面の簡単な説明】
【００３５】
【図１】本発明の包装容器の一実施形態を、該包装容器にて包装された食器とともに示す斜視図である。
【図２】図１の包装容器および食器の背面側からの斜視図である。
【図３】図１の包装容器の展開図である。
【図４】図１の包装容器の組立工程を説明する斜視図である。
【図５】図３の組立工程において正面側の斜視図である。
【図６】図１の包装容器の組立工程を説明する斜視図である。
【図７】図１の包装容器の組立工程を説明する斜視図である。
【符号の説明】
【００３６】
１  包装容器
２  底面板
３Ｌ，３Ｒ  左右の側面板
４Ｌ，４Ｒ  左右の上面板
５Ｌ，５Ｒ  左右の底面板
６  正面板
７  正面上面板
１１，１３  差し込みフラップ
１２Ｌ，１２Ｒ  左右の背面板
Ｐ  食器
ａ，ｂ，ｃ，ｄ，ｅ，ｆ，ｇ，ｈ，ｉ，ｊ，ｋ，ｍ，ｎ，ｒ，ｖ  折り目
ｐ，ｑ，ｓ，ｔ，ｕ  切れ目
【図１】
2006213338.tif 000003
【図２】
2006213338.tif 000004
【図３】
2006213338.tif 000005
【図４】
2006213338.tif 000006
【図５】
2006213338.tif 000007
【図６】
2006213338.tif 000008
【図７】
2006213338.tif 000009